(57)【要約】【課題】浴槽ケースを簡易構造としてその分解組立てに要する労力を軽減し、併せて要介護者の扱い（入浴介護）が軽微となる介護用浴槽を提供すること。【解決手段】浴槽ケース１と、該ケース１内に納められ前面部２にスライドファスナー部５を介して分離接合自在に連結された開放壁３が設けられ、上部周縁が浴槽ケース１に吊下される内袋６とから成る介護用浴槽において  浴槽ケース１が、直角二方向に嵌入孔７をもつ４個の前接合具８と、直角二方向と該二方向の交点に直交する方向に嵌入孔１２をもつ４個の後接合具１３と、各嵌入孔８、１２に嵌入される４本の横パイプ９と、２本の縦パイプ１４と、各垂直パイプ１０、１５の４本と、横パイプ９、９間に着脱自在に掛け渡しされる結合パイプ１７とから成る。【選択図】図２
2007181590.tif 000002
【特許請求の範囲】
【請求項１】
浴槽ケースと、該ケース内に収められて前面部に開放壁が設けられ、該開放壁が前面部の端縁に水密機能のスライドファスナー部を介して分離接合自在に連結された内袋とからなり、該内袋の上部周縁が浴槽ケースに吊下されて成る介護用浴槽において、
前記浴槽ケースが、前面部側ではパイプを嵌入できるＬ形の接合体で直角二方向に嵌入孔をもつ４個の前接合具により、上下における左右側方の４本の横パイプの各一端と、左右２本の垂直パイプの両端とが接合され、後面部側ではパイプを嵌入できるＬ形の接合体で直角二方向と該二方向の交点に直交する方向との三方向に嵌入孔をもつ４個の後接合具により、直角二方向の嵌入孔を水平面内に配して上下における左右側方の横パイプの各他端と、後端の上下２本の縦パイプの両端と、左右２本の垂直パイプの両端とが接合され、前面部寄りの上部の左右横パイプ間には両端の下方にパイプ幅の嵌着円弧部を設けた結合パイプを着脱自在に掛け渡しして成る介護用浴槽。
【請求項２】
前記開放壁がＬ形に前記前面部の端縁に連結され、左右何れか一方の側面部の前端を支端として開閉されて成る請求項１記載の介護用浴槽。
【発明の詳細な説明】
【技術分野】
【０００１】
本発明は、主として介護者が高齢者や身体障害者などの要介護者の入浴に使用する介護用浴槽に関し、さらには屋外で組み立てて大人子供の行水やペットの洗浄用として簡易浴槽の分野にも及ぶものにかかわる。
【背景技術】
【０００２】
上面を開口した浴槽ケース内に内袋が納められ、該浴槽ケースの前扉が下端の蝶番を介して前方へ全開され、内袋の前面部の左右両端辺がその左右側面部の前端辺に水密機能をもつスライドファスナーを介して分離可能に連結されて成る介護用浴槽は、特開２００５−３１２７３０号公報（特許文献１）に提案されているが、該特許文献１に開示された技術は、浴槽ケース１が前扉１１と左右の側板１２と背板１３及び底板１４とから成る箱状のものであるため、持ち運び手段が制限され分解組立てに手数を要する。
【０００３】
特開２００１−５８０００号公報（特許文献２）に提案された介護風呂は、ガイドフレーム、横フレームと分離できるが各フレームと接合具との接合手段が明確でなく、ガイドフレームに案内するガイド体に固定されるサポート体にフレキシブル浴槽の開口部の周囲が支持されるなど構造が複雑である上、該浴槽を折り畳んで要介護者を浴槽内へ入れるときに折り畳み高さを乗り越える踏み台プレートを要する。
【特許文献１】特開２００５−３１２７３０号公報
【特許文献２】特開２００１−５８０００号公報
【発明の開示】
【発明が解決しようとする課題】
【０００４】
本発明は、分解収納できて運搬手段が制限されず、浴槽ケース構造を簡易構造としてその分解組立てに要する労力を軽減化し、併せて要介護者の扱いが軽微となる介護用浴槽を提供しようとする。
【課題を解決するための手段】
【０００５】
本発明の請求項１記載の介護用浴槽は、浴槽ケースと、該ケース内に収められて前面部に開放壁が設けられ、該開放壁が前面部の端縁に水密機能を有するスライドファスナー部を介して分離接合自在に連結された内袋とからなり、該内袋の上部周縁が浴槽ケースに吊下されて成る介護用浴槽において、
前記浴槽ケースが、前面部側ではパイプを嵌入できるＬ形の接合体で、直角二方向に嵌入孔を有する４個の前接合具により上下における左右側方の４本の横パイプの各一端と、左右２本の垂直パイプの両端とが接合され、後面部側ではパイプを嵌入できるＬ形の接合体で、直角二方向と該二方向の交点に直交する方向との三方向に嵌入孔を有する４個の後接合具により、直角二方向の嵌入孔を水平面内に配して、上下における左右側方の前記横パイプの各他端と、後端の上下２本の縦パイプの両端と、左右２本の垂直パイプの両端とが接合され、前面部寄りの上部の左右横パイプ間には両端の下方にパイプ幅の嵌着円弧部を設けた結合パイプを着脱自在に掛け渡しして成る。
【０００６】
また、請求項２記載の発明は、請求項１記載の介護用浴槽において、
前記開放壁がＬ形に前記前面部の端縁に連結され、左右何れか一方の側面部の前端を支端として開閉されて成る。
【発明の効果】
【０００７】
本発明の介護用浴槽によれば、浴槽ケースが前接合具と後接合具による各横パイプと縦パイプ及び垂直パイプの嵌入接合であるため、分解組立て自在な簡易構造であり、コンパクトに分解収納できるから普通乗用車でも持ち運びできるなど運搬手段が制限されず、浴槽ケースは前面部側の左右側面部間を開口状態としてあるから要介護者を内袋に入れる作業（入浴介護）も軽微であり、入浴時には左右両側面部側の上部間を結合パイプで連結できるため強度面の保証と体を支える手掛りを提供できる効果がある。
【発明を実施するための最良の形態】
【０００８】
浴槽ケースの前面側と後面側間を接合する横パイプは１本もののほか、浴槽となる内袋の長さに対応できるように伸縮自在な構造も選択される。
スライドファスナー部での水密機能に関与するカバーは一重のものから二重構造のものも提供され、スライドファスナーを開閉するスライダーは、上端からの開閉に関与するものから上下両端に設けてそれぞれ上下端から開閉できるものも選択される。
【実施例】
【０００９】
本発明を実施例により説明すると、介護用浴槽Ａは、図１、図２に示すように、パイプによる箱枠状の浴槽ケース１とケース１内に納められる浴槽状の内袋６とから成り、内袋６の前面部２は開放壁面でその開放壁３は前面部２の左右両端縁が左右の側面部４の前端縁に水密機能のスライドファスナー部５を介して分離接合自在に連結されて成っている。
浴槽ケース１は図３、図４に示すように、内袋６の前面部２側ではパイプを嵌入できるＬ形の接合体で直角二方向（水平方向と垂直方向）に嵌入孔７をもつ４個の前接合具８により、上下における左右側方の４本の横パイプ９の各一端と、左右２本の垂直パイプ１０の両端が接合され、また、内袋６の後面部１１側ではパイプを嵌入できるＬ形の接合体で直角二方向（水平横方向と水平縦方向）と該二方向の交点に直交する方向（垂直方向）との三方向に嵌入孔１２をもつ４個の後接合具１３により、上下における左右側方の横パイプ９の各他端と、後端の上下２本の縦パイプ１４の両端と、左右２本の垂直パイプ１５の両端とが接合され、さらに、前面部２寄りの上部左右の横パイプ９、９間には、両端の下方に図６に示す嵌着円弧部１６を設けた結合パイプ１７を着脱自在に掛け渡しして成る。
スライドファスナー部５は図５に示すように、開放壁３の左右両端と左右の側面部４の前端縁との間にスライドファスナー１８が取着され、スライドファスナー１８は図７に示すように、上下の各スライダー１９で開閉され、それぞれのスライドファスナー１８の内方側から下端に渡り相互に歯合する一方の雌面状ファスナー２０が接着され、左右の側面部４の前端部に接合されるカバー２１はそれぞれ雌面状ファスナー２０を包蔵する長さでその内面に雄面状ファスナー２２を接着し、スライドファスナー１８の上端を除き両雌雄面状ファスナー２０、２２によってスライドファスナー１８の接合部を水密状に密閉して成る。なお、仮想線で示すように、雌雄面状ファスナー２０、２２の歯合外端から下端に向けて二重に雌雄の面状ファスナー２３で水密性が確保され好適である。
内袋６はその上端部周縁に設けられた鳩目２４に一端を係着した吊り金具２５を介して浴槽ケース１の各パイプに吊下されて成る。
【００１０】
このようにして成る介護用浴槽Ａは、左右のカバー２１が剥がされ、左右上端のスライダー１９を降下させて開放壁３と左右の側面部４の前端縁との連結を解放して開放壁３を図９に示すように内袋６の前方へ倒し、結合パイプ１７の左方側を支点として右方側の嵌着円弧部１６を横パイプ９から脱却させて開き、その状態で椅子２６に座る要介護者２７を背中向きに内袋６に入れ、その後、開放壁３を立てて左右のスライドファスナー１８を閉じ、カバー２１で雌雄面状ファスナー２０、２２を介してスライドファスナー１８を包蔵して水密性を確保し、結合パイプ１７の右方の嵌着円弧部１６を横パイプ９に嵌着し、然る後に内袋６に湯が適量張られ要介護者２７は入浴の介護が受けられる。入浴中は左右の横パイプ９の適宜な位置に寄せられた結合パイプ１７に掴まることができる。
入浴後の湯はカバー２１を開けた後左右のスライドファスナー１８の下方側のスライダー１９が上げられてその開口部から排出される。
次に開放壁３の他の実施態様を説明すると、図８に示すように、右方と下方に逆Ｌ形（Ｌ形もあり）にスライドファスナー部５を設けて、左方の側面部４の前端を支端として開閉される。
【産業上の利用可能性】
【００１１】
本発明の介護用浴槽は、その浴槽ケースが合成樹脂製の前後接合具と、同一径による選択長さの該樹脂製のパイプから成るので合成樹脂成形業界で利用され、用途としては介護用浴槽や大人から子供向けの行水用やペットの洗浄用の浴槽などに広く利用できる。
【図面の簡単な説明】
【００１２】
【図１】本発明に係る介護用浴槽Ａの平面図。
【図２】図１の右側面図。
【図３】浴槽ケース１の平面図。
【図４】図３の右側面図。
【図５】内袋６の前面部２の中間を一部省略した左右のスライドファスナー部５の説明用平面図。
【図６】結合パイプ１７の正面図。
【図７】内袋６の正面図。
【図８】内袋６の他の実施態様における正面図。
【図９】介護用浴槽Ａの使用時の説明図。
【符号の説明】
【００１３】
１：浴槽ケース
２：前面部
３：開放壁
４：側面部
５：スライドファスナー部
６：内袋
７：嵌入孔
８：前接合具
９：横パイプ
１０：垂直パイプ
１１：後面部
１２：嵌入孔
１３：後接合具
１４：縦パイプ
１５：垂直パイプ
１６：嵌着円弧部
１７：結合パイプ
１８：スライドファスナー
１９：スライダー
２０：雌面状ファスナー
２１：カバー
２２：雄面状ファスナー
２３：面状ファスナー
２４：鳩目
２５：吊り金具
２６：椅子
２７：要介護者
Ａ：介護用浴槽
【図１】
2007181590.tif 000003
【図２】
2007181590.tif 000004
【図３】
2007181590.tif 000005
【図４】
2007181590.tif 000006
【図５】
2007181590.tif 000007
【図６】
2007181590.tif 000008
【図７】
2007181590.tif 000009
【図８】
2007181590.tif 000010
【図９】
2007181590.tif 000011